(57)【要約】【課題】撮影画像表示装置において、三次元撮影された現画像と二次元撮影された過去画像との比較を容易にする。【解決手段】  乳房Ｍを二次元撮影および三次元撮影して得られた画像データを複数記憶する画像データ記憶部４４２と乳房Ｍの画像を二次元表示または三次元表示するモニタ４１と画像データが二次元撮影または三次元撮影されたものであるかを判別する画像データ判別部４４３とを備え、過去画像に切り替える切替指示および現画像を再表示する再表示指示を受け付け、現画像が三次元撮影、過去画像が二次元撮影されたものであるときは、現画像の再表示を二次元表示とするか三次元表示とするかのユーザ選択画面を表示する。【選択図】図３
2013150801.tif 000002
【特許請求の範囲】
【請求項１】
同一の被写体を二次元撮影および三次元撮影して得られた画像データを複数記憶する画像データ記憶部と、
該画像データ記憶部から読み出した前記画像データに基づいて、前記被写体の画像を二次元表示または三次元表示する画像表示部と、
前記画像データが前記二次元撮影して得られたものであるか、もしくは前記三次元撮影して得られたものであるかを判別する画像データ判別部と、
該画像データ判別部の判別結果に基づいて、前記画像表示部の表示を制御する画像表示制御部と、
表示している前記被写体の現画像と前記被写体の過去画像とを比較するため、前記現画像の表示中に前記被写体の過去画像の表示に切り替える切替指示および前記過去画像を表示した後に再び前記現画像を表示させる再表示指示を受け付けるユーザ指示受付部とを備え、
前記画像表示制御部が、前記現画像の画像データが前記三次元撮影、前記過去画像の画像データが前記二次元撮影して得られたものであるとき、前記現画像を再び表示する際、該現画像を前記二次元表示するか、もしくは前記三次元表示するかのユーザ選択画面を表示させるものであることを特徴とする撮影画像表示装置。
【請求項２】
前記ユーザ指示受付部が、前記ユーザ選択画面によるユーザ選択を受け付けるものであり、
前記画像表示制御部が、前記画像データ判別部の判別結果よりも前記ユーザ選択画面での前記ユーザ選択を優先させて前記現画像を再び表示させるものであることを特徴とする請求項１に記載の撮影画像表示装置。
【請求項３】
前記ユーザ指示受付部が、ユーザにより押下される、前記切替指示および前記再表示指示に対応する特定キーを有するものであり、
前記画像表示制御部が、前記特定キーの押下を検出するものであり、前記現画像の表示中に前記特定キーが押下されている間のみ、該押下に応じて前記過去画像に切り替えて表示させるものであることを特徴とする請求項１または２に記載の撮影画像表示装置。
【請求項４】
前記三次元撮影が、前記被写体を互いに異なる二つの撮影方向から撮影するものであり、
前記画像表示制御部が、前記三次元撮影して得られた前記画像データに基づいて、前記画像表示部に前記二次元表示をさせる際、前記二つの撮影方向のうち、いずれか一方の撮影方向で撮影された画像のみを表示するものであることを特徴とする請求項１〜３のいずれか１項に記載の撮影画像表示装置。
【請求項５】
前記画像データが、該画像データが前記二次元撮影または前記三次元撮影して得られたものであるかを示す付帯情報を有するものであり、
前記画像データ判別部が、前記付帯情報に基づいて、前記画像データが前記二次元撮影または前記三次元撮影して得られたものであるかを判別するものであることを特徴とする請求項１〜４のいずれか１項に記載の撮影画像表示装置。
【請求項６】
前記画像表示部が、前記付帯情報を文字情報として表示することを特徴とする請求項１〜５のいずれか１項に記載の撮影画像表示装置。
【請求項７】
前記画像データが放射線画像データであり、前記被写体が乳房であることを特徴とする請求項１〜６のいずれか１項に記載の撮影画像表示装置。
【請求項８】
前記表示制御部が、前記画像が前記画像表示部の表示画面の略中央で表示されるように、前記画像表示部を制御するものであることを特徴とする請求項１〜７のいずれか１項に記載の撮影画像表示装置。
【請求項９】
同一の被写体を二次元撮影または三次元撮影して得られた画像データを複数記憶する画像データ記憶部と、該画像データ記憶部から読み出した前記画像データに基づいて、前記被写体の画像を二次元表示または三次元表示する画像表示部と、前記画像データが前記二次元撮影して得られたものであるか、もしくは前記三次元撮影して得られたものであるかを判別する画像データ判別部とを備えた撮影画像表示装置の動作方法であって、
表示している前記被写体の現画像と前記被写体の過去画像とを比較するため、前記現画像の表示中に前記被写体の過去画像の表示に切り替える切替指示および前記過去画像を表示した後に前記現画像を再び表示させる再表示指示を受け付け、
前記現画像の画像データが前記三次元撮影、前記過去画像の画像データが前記二次元撮影して得られたものであるときは、前記現画像を再び表示する際、該現画像を前記二次元表示するか、もしくは前記三次元表示するかのユーザ選択画面を表示させることを特徴とする撮影画像表示装置の動作方法。
【発明の詳細な説明】
【技術分野】
【０００１】
本発明は撮影画像表示装置およびその動作方法に関する。より詳しくは、同一被写体を二次元撮影および三次元撮影して得られた画像データを複数記憶し、読み出した画像データに基づいて、被写体の画像を二次元表示または三次元表示する撮影画像表示装置およびその動作方法に関する。
【背景技術】
【０００２】
従来、様々な分野において、同一被写体の現画像と過去画像とを比較することが行われている。特に、この現画像と過去画像との比較は、放射線画像診断の分野において比較読影として頻繁に行われており、特許文献１には、表示画面内に「過去画像」ボタンを備えて「過去画像」ボタンを操作することにより、容易に比較読影を行える放射線撮影装置が提案されている。
【０００３】
また、最近では、奥行き感のある被写体画像を観察できるように、同一被写体を互いに異なる二つの撮影方向で撮影して視差を有する二つの画像を取得する三次元撮影が盛んである。そして、これらの二つの画像をそれぞれ表示する三次元表示を行うと、ユーザは二つの画像を脳内で合成して被写体の画像を立体視できるようになる。
【先行技術文献】
【特許文献】
【０００４】
【特許文献１】特開２００６−８１７６１号公報
【発明の概要】
【発明が解決しようとする課題】
【０００５】
したがって、同一被写体の現画像と過去画像とを比較する際、過去画像は二次元撮影されたものであるが、現画像は三次元撮影されたものである場合があり得る。このような場合において、ユーザは、過去画像を平面視した後に再び現画像を立体視することになる。
【０００６】
しかしながら、過去画像を平面視した後に再び現画像を視認する際、再び現画像を立体視した方が比較し易いのか、もしくは平面視のまま現画像を視認した方が比較し易いのかは、ユーザによって異なる可能性がある。したがって、過去画像を平面視した後に三次元撮影された現画像を一律に三次元表示することは、必ずしもユーザにとって現画像と過去画像との比較をし易くするものとは言えない。
【０００７】
本発明の目的は、上記事情に鑑み、三次元撮影された現画像と二次元撮影された過去画像との比較を容易にする撮影画像表示装置およびその動作方法を提供するものである。
【課題を解決するための手段】
【０００８】
上記の課題を解決するために、本発明の撮影画像表示装置は、同一の被写体を二次元撮影および三次元撮影して得られた画像データを複数記憶する画像データ記憶部と、画像データ記憶部から読み出した画像データに基づいて、被写体の画像を二次元表示または三次元表示する画像表示部と、画像データが二次元撮影して得られたものであるか、もしくは三次元撮影して得られたものであるかを判別する画像データ判別部と、画像データ判別部の判別結果に基づいて、画像表示部の表示を制御する画像表示制御部と、表示している被写体の現画像と被写体の過去画像とを比較するため、現画像の表示中に被写体の過去画像の表示に切り替える切替指示および過去画像を表示した後に再び現画像を表示させる再表示指示を受け付けるユーザ指示受付部とを備え、画像表示制御部が、現画像の画像データが三次元撮影、過去画像の画像データが二次元撮影して得られたものであるとき、現画像を再び表示する際、現画像を二次元表示するか、もしくは三次元表示するかのユーザ選択画面を表示させるものであることを特徴とする。
【０００９】
本発明の撮影画像表示装置の動作方法は、同一の被写体を二次元撮影または三次元撮影して得られた画像データを複数記憶する画像データ記憶部と、画像データ記憶部から読み出した画像データに基づいて、被写体の画像を二次元表示または三次元表示する画像表示部と、画像データが二次元撮影して得られたものであるか、もしくは三次元撮影して得られたものであるかを判別する画像データ判別部とを備えた撮影画像表示装置の動作方法であって、表示している被写体の現画像と被写体の過去画像とを比較するため、現画像の表示中に被写体の過去画像の表示に切り替える切替指示および過去画像を表示した後に再び現画像を表示させる再表示指示を受け付け、現画像の画像データが三次元撮影、過去画像の画像データが二次元撮影して得られたものであるとき、現画像を再び表示する際、現画像を二次元表示するか、もしくは三次元表示するかのユーザ選択画面を表示させることを特徴とする。
【００１０】
ここで、本発明の撮影画像表示装置およびその動作方法における「二次元撮影」とは、被写体を一つの撮影方向からのみ撮影することを意味し、「三次元撮影」とは、被写体を互いに異なる二つの撮影方向から撮影することを意味する。また、上記「画像データ」とは、二次元撮影によって得られた、一つの撮影方向での撮影に対応する一つのデータ、もしくは、三次元撮影によって得られた、互いに異なる二つの撮影方向での撮影に対応する二つのデータを意味する。
【００１１】
また、上記「二次元表示」とは、一つの撮影方向で撮影された一つの被写体画像を表示する意味であり、二次元撮影によって得られた一つの被写体画像のみを表示する意味だけでなく、三次元撮影によって得られた二つの被写体画像のうち、一方の被写体画像のみを表示する場合をも含む意味である。また、上記「三次元表示」とは、三次元撮影によって得られた、二つの被写体画像をそれぞれ表示することを意味する。また、上記「現画像」とは、比較する際の元画像の意味であり、上記「過去画像」とは、「現画像」よりも過去に遡って同一被写体を二次元撮影または三次元撮影された画像を意味する。また、上記「ユーザ選択画面」とは、ユーザに現画像を二次元表示で再表示させるか、もしくは、三次元表示で再表示させるかの選択を促す画面を意味する。
【００１２】
また、本発明の撮影画像表示装置は、ユーザ指示受付部が、ユーザ選択画面によるユーザ選択を受け付けるものであり、画像表示制御部が、画像データ判別部の判別結果よりもユーザ選択画面でのユーザ選択を優先させて現画像を再び表示させるものであってもよい。
【００１３】
また、本発明の撮影画像表示装置は、ユーザ指示受付部が、ユーザにより押下される、切替指示および再表示指示に対応する特定キーを有するものであり、画像表示制御部が、特定キーの押下を検出するものであり、現画像の表示中に特定キーが押下されている間のみ、押下に応じて過去画像に切り替えて表示させるものであってもよい。
【００１４】
また、本発明の画像表示装置は、三次元撮影が、被写体を互いに異なる二つの撮影方向から撮影するものであり、画像表示制御部が、三次元撮影して得られた画像データに基づいて、画像表示部に二次元表示をさせる際、二つの撮影方向のうち、いずれか一方の撮影方向で撮影された画像のみを表示するものであってもよい。
【００１５】
また、本発明の撮影画像表示装置は、画像データが、画像データが二次元撮影または三次元撮影して得られたものであるかを示す付帯情報を有するものであり、画像データ判別部が、付帯情報に基づいて、画像データが二次元撮影または三次元撮影して得られたものであるかを判別するものであってもよい。
【００１６】
また、本発明の撮影画像表示装置は、画像表示部が、付帯情報を文字情報として表示するものであってもよい。また、本発明の撮影画像表示装置は、画像データが放射線画像データであってもよく、被写体が乳房であってもよい。
【００１７】
また、本発明の撮影画像表示装置は、表示制御部が、画像が画像表示部の表示画面の略中央で表示されるように、画像表示部を制御するものであってもよい。ここで、本発明の撮影画像表示装置における「略中央」とは、表示画面の中心から表示画面の面積に対して８０パーセント程度、望ましくは５０パーセント程度の範囲内の領域を意味する。
【発明の効果】
【００１８】
本発明の撮影画像表示装置およびその動作によれば、表示している被写体の現画像と被写体の過去画像とを比較するため、現画像の表示から被写体の過去画像の表示に切り替える切替指示および過去画像を表示した後に現画像を再び表示させる再表示指示を受け付け、現画像の画像データが三次元撮影、過去画像の画像データが二次元撮影して得られたものであるときは、現画像を再び表示する際、現画像を二次元表示するか、もしくは三次元表示するかのユーザ選択画面を表示させるため、ユーザの好みに応じて、現画像を二次元表示または三次元表示で再表示でき、三次元撮影された現画像と二次元撮影された過去画像とを比較し易くできる。
【００１９】
また、本発明の撮影画像表示装置によれば、ユーザ指示受付部が、ユーザにより押下される、切替指示および再表示指示に対応する特定キーを有するものであり、画像表示制御部が、特定キーの押下を検出するものであり、現画像の表示中に特定キーが押下されている間のみ、押下に応じて過去画像に切り替えて表示させるものであるため、現画像を立体視するユーザが、切替指示や再表示指示に対応するキーの配置を気にすることなく、簡単な操作で三次元撮影された現画像と二次元撮影された過去画像とを比較し易くできる。
【図面の簡単な説明】
【００２０】
【図１】放射線撮影表示システムの概略構成図
【図２】放射線撮影装置の一部正面図
【図３】放射線撮影画像表示装置の概略構成図
【図４】放射線撮影画像表示装置の現画像の表示を示す図
【図５】放射線撮影画像表示装置による現画像の表示処理を示すフローチャート
【図６】放射線撮影画像表示装置による比較読影における表示を示す図
【図７】放射線撮影画像表示装置による比較読影の処理を示すフローチャート
【発明を実施するための形態】
【００２１】
本発明の撮影画像表示装置の一実施形態について図面を参照して説明する。図１は本発明の一実施形態である放射線撮影画像表示装置４０を用いた放射線撮影表示システムの概略構成図である。放射線撮影表示システム１は、図１に示すように、放射線撮影装置１０および放射線撮影画像表示装置４０から構成されている。
【００２２】
放射線撮影表示システム１は、被写体である乳房Ｍを二次元撮影または三次元撮影することにより、二次元画像Ｇ２または三次元画像Ｇ３の放射線画像データを取得し、この放射線画像データに基づいて、二次元画像Ｇ２または三次元画像Ｇ３を二次元表示または三次元表示するものである。
【００２３】
最初に放射線撮影装置１０について説明する。放射線撮影装置１０は、乳房Ｍを二次元撮影または三次元撮影することで二次元画像Ｇ２または三次元画像Ｇ３の画像データを取得し、これらの放射線画像データを画像ファイルに格納して放射線撮影画像表示装置４０に送信するものである。
【００２４】
ここで、放射線撮影装置１０における二次元撮影とは、乳房Ｍを一つの撮影方向のみから撮影することであり、三次元撮影とは、乳房Ｍを互いに異なる二つの撮影方向から撮影することである。そして、この三次元画像Ｇ３は、二つの撮影方向のうちの一方の撮影方向に対応する左眼用画像ＧＬと他方の撮影方向に対応する右眼用画像ＧＲから構成されている。
【００２５】
放射線撮影装置１０は、図１に示すように、基台１１と、基台１１に対して上下方向（Ｚ方向）に移動可能であり、且つ回転可能な回転軸１２と、回転軸１２により基台１１と連結されたアーム部１３とを備えている。
【００２６】
アーム部１３はＣの形をしており、その一端には撮影台１４が、その他端には撮影台１４と対向するように放射線照射部１６が取り付けられている。アーム部１３の回転および上下方向の移動は、基台１１に組み込まれたアームコントローラ３１により制御される。
【００２７】
撮影台１４の内部には、フラットパネルディテクタ等の放射線検出器１５と、放射線検出器１５からの電荷信号の読み出しを制御する検出器コントローラ３３が備えられている。また、撮影台１４の内部には、放射線検出器１５から読み出された電荷信号を電圧信号に変換するチャージアンプや、チャージアンプから出力された電圧信号をサンプリングする相関二重サンプリング回路や、電圧信号をデジタル信号に変換するＡ／Ｄ変換部等が設けられた回路基板等も備えられている。
【００２８】
また、撮影台１４はアーム部１３に対し回転可能に構成されているが、三次元撮影のときには基台１１に対してアーム部１３が回転した場合でも、撮影台１４の向きは基台１１に対し固定された向きにできる。
【００２９】
放射線検出器１５は、電荷信号の記録と読み出しを繰り返して行うことができるものであり、放射線の照射を検出面１５ａで直接受けて電荷を発生する、いわゆる直接型の放射線検出器を用いてもよいし、放射線を一旦可視光に変換し、その可視光を電気信号に変換する、いわゆる間接型の放射線検出器を用いるようにしてもよい。
【００３０】
また、電荷信号の読出方式としては、ＴＦＴ（thin film transistor）スイッチをオン・オフさせることによって電荷信号が読み出される、いわゆるＴＦＴ読出方式のものを用いることが望ましいが、これに限らずその他のものを用いるようにしてもよい。
【００３１】
放射線照射部１６の内部には放射線源１７と、放射線源コントローラ３２が格納されている。放射線源コントローラ３２は、放射線源１７から放射線を照射するタイミングと、放射線源１７における放射線発生条件（管電流（ｍＡ）、照射時間（ｍｓ）、管電圧（ｋＶ）等）を制御するものである。
【００３２】
また、アーム部１３の中央部には、撮影台１４の上方に配置されて乳房Ｍを押さえつけて圧迫する圧迫板１８と、その圧迫板１８を支持する支持部２０と、支持部２０を上下方向（Ｚ方向）に移動させる移動機構１９とが設けられている。圧迫板１８の位置、圧迫厚は、圧迫板コントローラ３４により制御される。
【００３３】
制御部３０は、中央処理装置（ＣＰＵ）、半導体メモリやハードディスクやＳＳＤ等のストレージデバイス、入力部３０ａを備えている。制御部３０は、各種のコントローラ３１〜３４に対して所定の制御信号を出力し、放射線撮影装置１０の全体の制御を行うものである。
【００３４】
入力部３０ａは、たとえば、キーボードやマウス等のポインティングデバイスから構成されるものであり、患者情報、撮影日時、二次元撮影であるか、もしくは三次元撮影であるかを示す撮影方法、ＣＣ（頭尾方向）やＭＬＯ（内外斜位方向）等の撮影種類、アーム部１３が検出面１５ａに垂直な方向に対してなす角度である撮影角度θ等の撮影条件および撮影に関する操作指示を受け付けるものである。
【００３５】
そして、制御部３０は、二次元画像Ｇ２または三次元画像Ｇ３の放射線画像データに患者情報、撮影日時、撮影方法、撮影種類および撮影条件からなる付帯情報を付帯させ、放射線画像データを画像ファイルに格納して放射線撮影画像表示装置４０に送信する。
【００３６】
放射線撮影装置１０の作用について図２を用いて説明する。図２は放射線撮影装置１０の一部正面図である。最初に入力部３０ａが、患者情報、撮影日時、撮影方法、撮影種類および撮影条件を受け付ける。そして乳房Ｍが撮影台１４の上に設置され、圧迫板１８によって所定の圧力で圧迫される。入力部３０ａが撮影開始指示を受け付けると、二次元撮影または三次元撮影が開始する。制御部３０は、入力された撮影方法および撮影種類を読み出し、撮影方法、撮影種類および撮影条件の情報をアームコントローラ３１に出力する。なお、本実施形態においては、二次元撮影および三次元撮影のいずれにおいても撮影種類としてＣＣ（頭尾方向）が入力されたものとするが、特に限定されるものではない。
【００３７】
最初に放射線撮影装置１０による二次元撮影について説明する。制御部３０がＣＣ（頭尾方向）での二次元撮影の情報を受け付け、アームコントローラ３１が、アーム部１３にアーム部１３が略垂直となるような制御信号を出力する。なお、撮影角度θとしてθ＝０°が入力されたものとする。
【００３８】
そして、アーム部１３が検出面１５ａに対して略垂直となった状態において、制御部３０は、放射線源コントローラ３２および検出器コントローラ３３に対して放射線の照射と二次元画像Ｇ２の放射線画像データの読み出しを行う制御信号を出力する。
【００３９】
この制御信号に応じて、放射線源１７から放射線が照射され、放射線検出器１５が照射された放射線を検出し、検出器コントローラ３３によって放射線検出器１５から電荷信号が読み出される。この電荷信号に所定の信号処理を施した放射線画像信号に基づき、制御部３０は、二次元画像Ｇ２の放射線画像データを記憶し、この放射線画像データに付帯情報を付帯させて画像ファイルに格納して放射線撮影画像表示装置４０に送信する。
【００４０】
次に放射線撮影装置１０による三次元撮影について説明する。制御部３０がＣＣ（頭尾方向）での三次元撮影の情報を受け付け、互いに異なる二つの撮影角度θの組み合わせを読み出し、一方の撮影角度θの情報をアームコントローラ３１に出力する。なお、本実施形態において、撮影角度θとしてθ＝０°とθ＝＋４°との組み合わせが入力されたものであるが、特に限定されるものではない。この二つの撮影角度θの組み合わせは、二つの撮影方向のなす角度である輻輳角が２°〜８°の範囲となるように設定されることが望ましい。なお、本実施形態において、撮影角度θは、図２に示すように時計回りを正方向、反時計回りを負方向とする。
【００４１】
制御部３０が撮影角度θ＝０°とθ＝＋４°の情報を受け付け、アームコントローラ３１が、撮影角度θが０°となるよう、すなわちアーム部１３が略垂直となるような制御信号を出力する。アーム部１３が検出面１５ａに対して略垂直になると、制御部３０は、放射線源コントローラ３２および検出器コントローラ３３に対して放射線の照射と左眼用画像ＧＬの放射線画像データの読み出しを行う制御信号を出力する。
【００４２】
この制御信号に応じて、放射線源１７から放射線が照射され、放射線検出器１５が照射された放射線を検出し、検出器コントローラ３３によって放射線検出器１５から電荷信号が読み出される。この電荷信号に所定の信号処理を施した放射線画像信号に基づき、制御部３０は、左眼用画像ＧＬの放射線撮影画像データを記憶する。
【００４３】
次にアームコントローラ３１が、撮影角度θ＝＋４°となるようにアーム部１３が傾く制御信号を出力する。アーム部１３が傾いて撮影角度θ＝＋４°になると、制御部３０は、放射線源コントローラ３２および検出器コントローラ３３に対して放射線の照射と右眼用画像ＧＲの放射線画像データの読み出しを行う制御信号を出力する。
【００４４】
この制御信号に応じて、放射線源１７から放射線が照射され、放射線検出器１５が照射された放射線を検出し、検出器コントローラ３３によって放射線検出器１５から電荷信号が読み出される。この電荷信号に所定の信号処理を施した放射線画像信号に基づき、制御部３０は、右眼用画像ＧＲの放射線画像データを記憶する。制御部３０は、左眼用画像ＧＬおよび右眼用画像ＧＲの各放射線画像データに付帯情報を付帯させ、画像ファイルに格納して放射線撮影画像表示装置４０に送信する。
【００４５】
なお、本実施形態では、撮影角度θ＝０°で左眼用画像ＧＬの放射線画像データ、撮影角度θ＝＋４°で右眼用画像ＧＲの放射線画像データの順でそれぞれ読み出して記憶をするものであるが、特に限定されるものではない。すなわち撮影角度θ＝０°で右眼用画像ＧＲの放射線画像データ、撮影角度θ＝＋４°で左眼用画像ＧＬの放射線画像データの順でそれぞれ読み出して記憶してもよい。
【００４６】
次に、本発明の撮影画像表示装置の一実施形態である放射線撮影画像表示装置４０について説明する。放射線撮影画像表示装置４０は、二次元画像Ｇ２を二次元表示、三次元画像Ｇ３を二次元表示または三次元表示するものである。図３は放射線撮影画像表示装置４０の概略構成図である。放射線撮影画像表示装置４０は、図３に示すように、モニタ４１、立体視眼鏡４２、入力部４３およびコンピュータ４４から構成されている。
【００４７】
モニタ４１は、上下方向に隣接した二つのモニタ画面４１１，４１２、モニタ画面４１１，４１２の間に設けられたハーフミラー４１３およびモニタ画面４１１，４１２のなす角度αを可変にするヒンジ機構４１４を備えている。
【００４８】
モニタ画面４１１，４１２は、互いに直交する偏光によって二次元画像Ｇ２または三次元画像Ｇ３を表示するものである。ヒンジ機構４１４は、モニタ画面４１１をモニタ画面４１２に対して図３中の矢印方向に回転させることにより、二つのモニタ画面４１１，４１２のなす角度αを調整する。ハーフミラー４１３は、モニタ画面４１１をモニタ画面４１２に対して傾けることにより、モニタ画面４１１の表示光を図中実線で示すように反射させるとともに、モニタ画面４１２の表示光を図中破線で示すように透過させ、モニタ画面４１１，４１２上の各画像を光学的に結合させるもものである。
【００４９】
立体視眼鏡４２は、左眼用部分４２１にモニタ画面４１１の表示光のみを透過させる左眼用偏向レンズと右眼用部分４２２にモニタ画面４１２の表示光のみを透過させる右眼用偏向レンズを備えている。これにより、ユーザは、モニタ画面４１１，４１２に表示された各画像を左眼および右眼でそれぞれ確認することができる。
【００５０】
入力部４３は、キーボード、マウス等のポインティングデバイスから構成されるものであり、ユーザからの指示を受け付けるものである。ユーザ指示としては、たとえば、表示開始指示、表示終了指示、および比較読影に関する指示である。ここで、比較読影に関する指示とは、比較読影における元画像である現画像を選択する指示や、現画像の表示中に過去画像の表示に切り替える切替表示や過去画像を表示した後に現画像の再び表示させる再表示指示である。
【００５１】
入力部４３を構成するキーボードのうち、各指示をいずれのキーに割り当てるかはユーザが自由に設定できるものであり、特に限定されるものではない。本実施形態においては、入力部４３は、ユーザが比較読影を容易に行えるように、ユーザによる押下が切替表示、押下解除が再表示指示に相当する特定キー４３１を有するものである。この特定キー４３１は、一つのキーに限定されるものではなく、複数のキーの組み合わせであってもよいが、複数のキーの組み合わせの場合は、ユーザがキー位置を視認することなく押下できるように、隣接するキーの組み合わせであることが望ましい。
【００５２】
コンピュータ４４には、本実施形態の放射線撮影画像表示装置４０として機能させるためのプログラムがインストールされている。コンピュータ４４は、中央処理装置（ＣＰＵ）および半導体メモリやハードディスクやＳＳＤ等のストレージデバイス等を備えており、これらのハードウェアにより、制御部４４１、画像データ記憶部４４２、画像データ判別部４４３および画像表示制御部４４４を構成している。
【００５３】
制御部４４１は、放射線撮影装置１０から画像ファイルを受信するとともに、コンピュータ４４の全体を制御するものである。
【００５４】
画像データ記憶部４４２は、受信した画像ファイルに格納されている二次元画像Ｇ２または三次元画像Ｇ３の放射線画像データについて付帯情報を参照して患者情報および撮影日時毎に複数記憶するものである。そして画像データ記憶部４４２は、同一の乳房Ｍを二次元撮影および三次元撮影して得られた放射線画像データを複数記憶している。
【００５５】
画像データ判別部４４３は、モニタ４１に表示させる放射線画像データについて、付帯情報を参照して当該放射線画像データの撮影方法、すなわち二次元撮影によって得られたものであるか、もしくは三次元撮影によって得られたものかを判別するものである。
【００５６】
画像表示制御部４４４はモニタ４１の表示を制御するものである。画像表示制御部４４４は、入力部４３が受け付けた現画像の選択指示に基づいて、現画像として表示する放射線画像データを画像データ記憶部４４２から読み出すとともに、画像データ判別部４４３からの判別結果に基づいて、現画像である二次元画像Ｇ２を二次元表示、もしくは現画像である三次元画像Ｇ３を三次元表示させるものである。
【００５７】
また、画像表示制御部４４４は、ユーザが比較読影のために現画像の表示中に特定キー４３１を押下すると、この特定キー４３１の押下を検出して画像データ記憶部４４２から同一の乳房Ｍの過去画像に対応する放射線画像データを読み出し、過去画像に切り替えてモニタ４１に表示させる。そして画像表示制御部４４４は、特定キー４３１の押下が解除されると、現画像を再表示させるものである。すなわち画像表示制御部４４４は特定キー４３１の押下されている間のみ過去画像を表示させる。
【００５８】
本実施形態において、画像表示制御部４４４は、過去画像が複数存在する場合、直近の過去画像を読み出すものとするが、特に限定されるものではない。ユーザは、入力部４３を介して複数の過去画像の放射線画像データのうち、時系列順において何番目の放射線画像データを過去画像として表示させるか予め設定できるようにしてもよい。なお、比較読影の詳細については後述する。
【００５９】
図４は放射線撮影画像表示装置４０による現画像の表示を示す図である。図４の上図は放射線撮影画像表示装置４０による二次元画像Ｇ２の二次元表示、三次元画像Ｇ３の三次元表示を示す図である。
【００６０】
本実施形態において、放射線撮影画像表示装置４０は、現画像が二次元画像Ｇ２である場合、図４の上図に示す通り、モニタ画面４１１とモニタ画面４１２との両方に二次元画像Ｇ２が互いに鏡像関係を有するようにそれぞれ表示する。これにより、立体視眼鏡４２を介してもユーザの両眼には二次元画像Ｇ２の表示光がそれぞれ入射するので、ユーザは違和感なく二次元画像Ｇ２を平面視することができる。なお、放射線撮影画像表示装置４０は、現画像が二次元画像Ｇ２である場合、モニタ画面４１１とモニタ画面４１２とのいずれか一方に二次元画像Ｇ２を表示するものであってもよい。
【００６１】
また、放射線撮影画像表示装置４０は、現画像が三次元画像Ｇ３である場合、図４の下図に示す通り、モニタ画面４１１に左眼用画像ＧＬ、モニタ画面４１２に右眼用画像ＧＲをそれぞれ表示する。これにより、立体視眼鏡４２を介すことでユーザの左眼には左眼用画像ＧＬ、右眼には右眼用画像ＧＲがそれぞれ入射するので、ユーザは三次元画像Ｇ３を立体視することができる。
【００６２】
また、画像表示制御部４４４は、図４に示す通り、ユーザが各画像を視認しやすいように、乳房Ｍの胸壁ＭＷが水平になるとともに、各画像がモニタ画面４１１，４１２の略中央に位置するように表示させる。これにより、特に三次元画像Ｇ３を立体視する際のクロストークの影響を低減することができる。ここで、モニタ画面４１１，４１２の略中央とは、モニタ画面４１１，４１２の中心からそれぞれのモニタ画面４１１，４１２の面積の８０パーセント程度、望ましくは５０パーセント程度の範囲の領域である。なお、各画像をモニタ画面４１１，４１２の略中央に表示させることは、比較読影における過去画像の表示や現画像の再表示においても同様である。
【００６３】
また、画像表示制御部４４４は、図４に示す通り、ユーザが各画像の撮影方法を認識しやすくするため、付帯情報である撮影方法をモニタ画面４１１，４１２に文字情報としてそれぞれ表示させるものである。また、本実施形態では、付帯情報である撮影方法を表示画面の画像表示領域外に表示しているが、表示位置については特に限定されるものではない。また、付帯情報は、図４に示すように文字情報として表示するものであってもよく、アイコン等で表示するものであってもよい。また、画像表示制御部４４４は、必要に応じてモニタ画面４１１，４１２に付帯情報である患者情報や撮影条件等をも表示させることができる。なお、付帯情報をモニタ画面４１１，４１２に表示させることは、比較読影における過去画像の表示や現画像の再表示においても同様である。
【００６４】
まず放射線撮影画像表示装置４０による現画像の表示処理について図５を用いて説明する。図５は放射線撮影画像表示装置４０による現画像の表示処理のフローチャートである。入力部４３が現画像の選択指示および表示開始指示を受け付けると（ＳＴ１０）、画像表示制御部４４４が、画像データ記憶部４４２から選択指示に対応する放射線画像データを読み出す（ＳＴ１１）。画像データ判別部４４３が読み出した放射線画像データの付帯情報を参照して撮影方法を判別する（ＳＴ１２）。画像表示制御部４４４が、画像データ判別部４４３からの判別結果に基づいて、現画像が二次元画像Ｇ２である場合は二次元表示（ＳＴ１３）、もしくは現画像が三次元画像Ｇ３である場合は三次元表示し（ＳＴ１４）、その処理を終了する。
【００６５】
図６は放射線撮影画像表示装置４０による比較読影における表示を示す図である。また、図６は、現画像の放射線画像データが三次元撮影して得られたものであり、且つ過去画像の放射線画像データが二次元撮影して得られたものである場合の比較読影における表示を示すものである。
【００６６】
放射線撮影画像表示装置４０は、前述の通り、モニタ画面４１１に左眼用画像ＧＬ、モニタ画面４１２に右眼用画像ＧＲをそれぞれ表示して現画像を三次元表示する（図６の最左図）。そして現画像が三次元表示された後に特定キー４３１が押下されると、放射線撮影画像表示装置４０は、モニタ画面４１１およびモニタ画面４１２の表示を過去画像である二次元画像Ｇ２に切り替えて二次元表示する（図６の左より２番目の図）。
【００６７】
そして過去画像が表示された後に特定キー４３１の押下が解除されると、過去画像を平面視していたユーザがそのまま平面視で現画像を観察した方が比較しやすいか、もしくは、元の通り現画像を立体視で観察した方が比較しやすいかを確認するため、放射線撮影画像表示装置４０は、現画像を二次元表示させるか、もしくは、三次元表示させるかのユーザ選択画面を表示させる（図６の右より２番目の図）。なお、ユーザ選択画面の表示は、不図示の画像表示制御部４４４がモニタ４１を制御することによって行われている。
【００６８】
不図示の入力部４３がユーザ選択画面によるユーザ選択を受け付けると、放射線撮影画像表示装置４０は、撮影方法の判別結果よりもユーザ選択を優先させ、ユーザ選択が三次元表示である場合はモニタ画面４１１に左眼用画像ＧＬ、モニタ画面４１２に右眼用画像ＧＲをそれぞれ表示して現画像を再表示し（図６の最右の上図）、ユーザ選択が二次元表示である場合は、モニタ画面４１１およびモニタ画面４１２に左眼用画像ＧＬをそれぞれ表示して現画像を再表示する（図６の最右の下図）。
【００６９】
なお、三次元画像Ｇ３を二次元表示によって再表示する際、左眼用画像ＧＬまたは右眼用画像ＧＲのいずれかを表示させるかは、特に限定されるものではないが、付帯情報である撮影条件を参照して撮影角度θの絶対値が小さい方の画像を表示させることが望ましい。また、左眼用画像ＧＬまたは右眼用画像ＧＲのいずれかをモニタ画面４１１およびモニタ画面の両方に必ずしも表示させる必要はなく、いずれか一方に表示させるものであってもよい。
【００７０】
また、放射線撮影画像表示装置４０は、現画像および過去画像の各放射線画像データが三次元撮影によって得られたものである場合、現画像の放射線画像データが二次元撮影、過去画像の放射線撮影画像データが三次元撮影によって得られたものである場合および現画像および過去画像の各放射線画像データが二次元撮影して得られたものである場合は、ユーザ選択画面を表示することなく、撮影方法の判別結果通りに、現画像を再表示する。
【００７１】
放射線撮影画像表示装置４０による比較読影の一連の処理について説明する。図７は、放射線撮影画像表示装置４０による比較読影の処理を示すフローチャートである。なお、図７においては、図５に示す現画像の表示処理が行われ、現画像が表示されているものとする。
【００７２】
画像表示制御部４４４が、現画像の表示中に特定キー４３１の押下を検出し（ＳＴ１５）。特定キー４３１が押下されると、過去画像に対応する放射線画像データを画像データ記憶部４４２から読み出す（ＳＴ１６）。画像データ判別部４４３が、過去画像に対応する放射線画像データの付帯情報を参照して撮影方法を判別する（ＳＴ１７）。画像表示制御部４４４が、判別結果に基づいて、過去画像に対応する放射線画像データが二次元撮影されたものであれば過去画像の二次元表示に切り替え（ＳＴ１８）、三次元撮影されたものであれば過去画像の三次元表示に切り替える（ＳＴ１９）。
【００７３】
そして、画像表示制御部４４４が、過去画像の表示中に特定キー４３１が押下されているかを検出し（ＳＴ２０）、特定キー４３１の押下が解除されると、現画像の放射線画像データの判別結果を確認し（ＳＴ２１）、現画像の放射線画像データの判別結果が二次元撮影であった場合は判別結果通り、現画像を二次元表示によって再表示させる（ＳＴ２２）。
【００７４】
また、画像表示制御部４４４は、現画像の放射線画像データの判別結果が三次元撮影であった場合は、過去画像の放射線画像データの判別結果を確認し（ＳＴ２３）、過去画像の放射線画像データが三次元撮影であった場合は判別結果通り、三次元表示によって現画像を再表示させる（ＳＴ２２）。
【００７５】
また、画像表示制御部４４４は、現画像の放射線画像データの判別結果が三次元撮影であり、且つ過去画像の放射線画像データの判別結果二次元撮影である場合は、現画像を二次元表示するか、もしくは三次元表示するかのユーザ選択画面を表示させる（ＳＴ２４）。そして、入力部４３がユーザ選択画面に対するユーザ選択を受け付けると、画像表示制御部４４４は判別結果よりもユーザの選択を優先させて現画像を再表示させる（ＳＴ２５）。画像表示制御部４４４が現画像を再表示させると処理が終了する。
【００７６】
以上に述べた通り、上記の実施形態によれば、比較読影のために、入力部４３が過去画像への切替指示および現画像の再表示指示を受け付けると、画像表示制御部４４４が、現画像の放射線画像データが三次元撮影、過去画像の放射線画像データが二次元撮影して得られたものであるときは、現画像を再表示する際、現画像を二次元表示するか、もしくは三次元表示するかのユーザ選択画面を表示させるため、ユーザが比較しやすい状態で現画像を再表示することができ、三次元撮影された現画像と二次元撮影された過去画像との比較をし易くできる。
【００７７】
上記の実施形態によれば、画像表示制御部４４４が、現画像の表示中にユーザによる特定キーの押下を検出し、特定キー４３１が押下されている間のみ過去画像を表示し、特定キーの押下が解除されると、現画像を再表示させる。したがって、簡単な操作で比較できるため、三次元撮影された現画像と二次元撮影された過去画像との比較をよりし易くできる。
【００７８】
なお、放射線撮影画像表示装置４０は、上記の構成に限定されるものではなく、パララックスバリア方式およびレンチキュラー方式を用いる構成であってもよく、右眼用画像ＧＲおよび左眼用画像ＧＬを所定の周期で交互に切り替えて表示し、ユーザが、右眼用部分および左眼用部分のそれぞれに所定の周期に同期して開閉する液晶シャッタ等を有する立体視眼鏡を装着して立体視する構成であってもよい。
【００７９】
なお、本実施形態においては、被写体を乳房Ｍとして説明したが特に限定されるものではなく、頭部、胸部、胃、肺、腰部、下肢等であってもよい。さらに、本発明の撮影画像表示装置は、放射線画像データに基づいて放射線画像を表示する放射線撮影画像表示装置に限定されるものではなく、通常のデジタルカメラ等で撮影された被写体を表示する撮影画像表示装置であってもよい。
【符号の説明】
【００８０】
Ｍ      乳房（被写体）
４０    放射線撮影画像表示装置
４１    モニタ（画像表示部）
４３    入力部（ユーザ指示受付部）
４１２  画像データ記憶部
４１３  画像データ判別部
４１４  画像表示制御部
４３１  特定キー
【図１】
2013150801.tif 000003
【図２】
2013150801.tif 000004
【図３】
2013150801.tif 000005
【図４】
2013150801.tif 000006
【図５】
2013150801.tif 000007
【図６】
2013150801.tif 000008
【図７】
2013150801.tif 000009